(57)【特許請求の範囲】
【請求項１】
前後方向を向く左右１対のコンベヤフレーム間に、ローラコンベヤとした搬送手段を配設したコンベヤにおける両コンベヤフレームに、正面視門型をなす前後１対の手摺りにおける左右の両側杆の中間部を固着し、かつコンベヤフレームより垂下する前後の側杆の下端部間に、コンベヤフレームの上端より下位の前後方向を向く踏み板をほぼ水平に設けたことを特徴とするコンベヤ横断用装置。
【請求項２】
手摺りにおける左右の両側杆の中間部に、互いに内方を向くブラケットを固着し、このブラケットの先端部を、コンベヤフレームの上面に載置して、ボルトをもって、コンベヤフレームに固着した請求項１記載のコンベヤ横断用装置。
【請求項３】
踏み板を、ほぼ水平の使用位置と、ほぼ上方を向く跳ね上げ位置とに、前後方向を向く軸まわりに回動可能とした請求項１または２記載のコンベヤ横断用装置。
【請求項４】
前後の側杆の下端部に、内方を向く内向き折曲部を設け、前後に対向する両内向き折曲部の先端部間に、踏み板を前後方向を向く軸をもって枢着した請求項３記載のコンベヤ横断用装置。
【請求項５】
前後に対向する両内向き折曲部間に連結材を架設し、踏み板を水平位置としたとき、踏み板が連結材により支持されるようにした請求項４記載のコンベヤ横断用装置。
【発明の詳細な説明】
【０００１】
【発明の属する技術分野】
本発明は、ローラコンベヤを人が横断するときに用いるコンベヤ横断用装置に関する。
【０００２】
【従来の技術】
工場や倉庫等において、人が、コンベヤを横切って通過することは困難である。
【０００３】
これを解消するため、従来、コンベヤの一部を長手方向に分断し、その部分を跳ね上げ可能とした、いわゆる跳ね上げ式のコンベヤがある（例えば実開平６−８７３１７号公報参照）。
【０００４】
【発明が解決しようとする課題】
しかし、上述のような従来の跳ね上げ式のコンベヤは、構造が複雑で、高価であるとともに、これを跳ね上げるのに労力を要し、しかも跳ね上げる時に、本来の物品搬送機能が損われ、搬送を中断しなければならず、さらに、跳ね上げ個所を、容易には変更できない等の問題がある。
【０００５】
本発明は、従来の技術が有する上記のような問題点に鑑み、構造が簡単で、コンベヤのどのような個所にも簡単に装着することができるとともに、物品の搬送作業を妨げることなく、人が簡単にコンベヤを横断することができるようにしたコンベヤ横断用装置を提供することを目的としている。
【０００６】
【課題を解決するための手段】
本発明によると、上記課題は次のようにして解決される。
（１）前後方向を向く左右１対のコンベヤフレーム間に、ローラコンベヤとした搬送手段を配設したコンベヤにおける両コンベヤフレームに、正面視門型をなす前後１対の手摺りにおける左右の両側杆の中間部を固着し、かつコンベヤフレームより垂下する前後の側杆の下端部間に、コンベヤフレームの上端より下位の前後方向を向く踏み板をほぼ水平に設ける。
【０００７】
（２）上記(１)項において、手摺りにおける左右の両側杆の中間部に、互いに内方を向くブラケットを固着し、このブラケットの先端部を、コンベヤフレームの上面に載置して、ボルトをもって、コンベヤフレームに固着する。
【０００８】
（３）上記(１)または(２)項において、踏み板を、ほぼ水平の使用位置と、ほぼ上方を向く跳ね上げ位置とに、前後方向を向く軸まわりに回動可能とする。
【０００９】
（４）上記(３)項において、前後の側杆の下端部に、内方を向く内向き折曲部を設け、前後に対向する両内向き折曲部の先端部間に、踏み板を前後方向を向く軸をもって枢着する。
【００１０】
（５）上記(４)項において、前後に対向する両内向き折曲部間に連結材を架設し、踏み板を水平位置としたとき、踏み板が連結材により支持されるようにする。
【００１１】
【発明の実施の形態】
図１及び図２は、本発明の一実施形態を備えるコンベヤの一例を示す。
本発明のコンベヤ(１)は、多数の脚(２)により、床面(３)より所要高さに水平に（または所要の傾斜角をもって）配設された前後方向を向く左右１対のコンベヤフレーム(４)(４)と、両コンベヤフレーム(４)(４)間に、長手方向に適宜の間隔をもって回転自在に枢支された左右方向を向く多数のローラ(５)とを備えている。
各コンベヤフレーム(４)は、断面外向きコ字状をなす金属製のチャンネル材により形成されている。
【００１２】
多数のローラ(５)により、図示を省略した物品を搬送する搬送手段(６)が形成されている。ここでは、説明を簡単にするため、各ローラ(５)を自由に回転しうるようにして、コンベヤ(１)をフリーローラコンベヤとしてあるが、コンベヤフレーム(４)と平行に回転シャフト（図示略）を配設し、この回転シャフトと各ローラ(５)とに輪ゴム状のゴムベルト（図示略）をクロス掛けし、回転シャフトをモータ（図示略）により一方向に回転させることにより、各ローラ(５)を同期して、同一方向に回転させ、ローラ(５)上に載置された物品を一方向に連続して搬送しうるようにして、コンベヤ(１)を駆動式のローラコンベヤとしてもよい。
【００１３】
図示の実施形態においては、横断用装置(７)は、正面形がほぼ門型をなす前後１対の手摺り(８)(８)と、その両側下部に設けられた踏み板(９)(９)とを備えるものとしてある。
【００１４】
各手摺り(８)は、金属パイプを折曲して形成され、左右方向を向くほぼ水平の上杆(10)と、その両端に連設され、かつ両コンベヤフレーム(４)(４)の外側を通って垂下する左右の側杆(11)(11)と、両側杆(11)(11)の下端より互いに内方に向かってほぼ水平に延出する内向き折曲部(12)(12)と、両側杆(11)(11)の中央よりやや下部に溶接等により固着され、内方を向く先端部が左右のコンベヤフレーム(４)(４)の上面に載置されて、ボルト(13)をもって固着されたブラケット(14)(14)とを備えている。
【００１５】
前後の手摺り(８)(８)の内向き折曲部(12)(12)の下面には、前後方向を向く板状の連結材(15)の前後の端部の上面が、溶接等により固着されている。
【００１６】
同じく、前後の内向き折曲部(12)(12)の内方の端部には、踏み板(９)の基端部が、前後方向を向く軸(16)をもって枢着されている。
【００１７】
踏み板(９)は、図１及び図２に実線で示すように、下面が連結材(15)の上面に当接して、外側に向かってほぼ水平に延出する使用位置と、図２に想像線で示すように、先端部が真上より若干内方寄りに傾斜して、コンベヤフレーム(４)の下部外側縁に当接する跳ね上げ位置とに回動することができる。
【００１８】
踏み板(９)は、使用位置としたとき、床面(３)とコンベヤフレーム(４)の上面との距離のほぼ中間に位置するようにしておくのがよい。
【００１９】
踏み板(９)は、不使用時には、跳ね上げ位置としておくことにより、コンベヤ(１)と平行に通行する人の妨げとなることがない。
【００２０】
コンベヤ(１)を頻繁に横断する場合には、左右の踏み板(９)をそれぞれ使用位置としておく。
コンベヤ(１)を横断する際には、左右の手摺り(８)(８)に掴まって、片足を踏み板(９)に載せ、次いで、他の片足を近い方のコンベヤフレーム(４)の上面に載せ、その後、ローラ(５)を跨いで、遠い方のコンベヤフレーム(４)の上面に渡り、次いで、他方の踏み板(９)を利用して、床面(３)に降りる。
【００２１】
【発明の効果】
本発明によると、次のような効果を奏することができる。
請求項１記載の発明によると、踏み板と手摺りとを利用して、簡単かつ安全にローラコンベヤを横断することができる。しかも、踏み板を手摺りの下端部に設けてあるので、それらを一体として、コンベヤの任意の個所に簡単に取り付けることができるとともに、取付位置を容易に変更することができる。
【００２２】
請求項２記載の発明によると、踏み板と手摺りとを、一体として、コンベヤの任意の個所に簡単に取り付けることができるとともに、取付位置を容易に変更することができる。
【００２３】
請求項３記載の発明によると、踏み板の不使用時に、踏み板を跳ね上げ位置に位置させることができるので、コンベヤの側方を通行する人の妨げとなることがない。
【００２４】
請求項４記載の発明によると、コンベヤの側方を通行する人の妨げとなることがない。
【００２５】
請求項５記載の発明によると、連結材が、前後の手摺りの連結と、踏み板を水平位置としたときのストッパとの両機能を果たすことができ、好都合である。
【図面の簡単な説明】
【図１】  本発明の一実施形態を備えるコンベヤの要部の斜視図である。
【図２】  同じく、正面図である。
【符号の説明】
(１)コンベヤ
(２)脚
(３)床面
(４)コンベヤフレーム
(５)ローラ
(６)搬送手段
(７)横断用装置
(８)手摺り
(９)踏み板
(10)上杆
(11)側杆
(12)内向き折曲部
(13)ボルト
(14)ブラケット
(15)連結材
(16)軸
【図１】
0003933431.tif 000002
【図２】
0003933431.tif 000003